【事件の表示】
　特願２００４−１５０６９７「データ処理装置及びデータ処理方法」拒絶査定不服審判事件〔平成１７年１２月　２日出願公開、特開２００５−３３３４７７〕について、次のとおり審決する。
【結　論】
　本件審判の請求は、成り立たない。
【理　由】
１．手続の経緯
　本願は、平成１６年５月２０日の出願であって、平成１９年１月３０日付けで拒絶査定がなされ、これに対し、同年３月８日に拒絶査定に対する審判請求がなされるとともに、同年４月６日付けで手続補正がなされたものである。
　
２．平成１９年４月６日付けの手続補正についての補正却下の決定
［補正却下の決定の結論］
　平成１９年４月６日付けの手続補正を却下する。
　
［理由］
２−１．補正後の本願発明
　本件補正により特許請求の範囲の請求項１は、下記のように補正された。
　
「ユーザ端末からネットワークを通じてリンク情報付き文書データを受信可能な文書データ受信手段と、
　受信した文書データから前記リンク情報を抽出するリンク情報抽出手段　と、
　原稿画像を読み取るためのスキャナ手段と、
　タッチ入力が可能な表示部に、前記受信した文書データに貼り付けられる画像データを得るための前記スキャナ手段による、解像度や読み込み範囲、画像を貼り付ける順番、完成された文書の送信先のうちのずれかを登録可能な読み取り開始キーを表示する表示手段と、
　前記読み取り開始キーからの入力により開始された前記スキャナ手段の原稿画像読み取り動作により読み取られた画像データを、前記リンク情報抽出手段により抽出されたリンク情報及び前記読み取り開始キーに登録され設定に従って文書データに貼り付ける画像データ貼り付け手段と、
　を備えていることを特徴とするデータ処理装置。」
　
　上記記載において「……完成された文書の送信先のうちのずれかを登録可能な読み取り開始キーを表示する表示手段と、」及び「……前記リンク情報抽出手段により抽出されたリンク情報及び前記読み取り開始キーに登録され設定に従って文書データに貼り付ける画像データ貼り付け手段と、」とあるのは、それぞれ「……完成された文書の送信先のうちの
い
た
　また、解像度や読み込み範囲、又は画像を貼り付ける順番の設定に従っ　て、画像データを文書データに貼り付ける場合とは異なり、完成された文書の送信先の設定に従って、画像データを文書データに貼り付けることはないはずであるから、本件補正後の特許請求の範囲の請求項１に係る発明において、「……解像度や読み込み範囲、画像を貼り付ける順番、完成された文書の送信先のうちのいずれかを登録可能な読み取り開始キーを表示する表示手段」が「……完成された文書の送信先を登録可能な読み取り開始キーを表示する表示手段」である場合の該発明は、下記のとおりと認められる。
　
「ユーザ端末からネットワークを通じてリンク情報付き文書データを受信可能な文書データ受信手段と、
　受信した文書データから前記リンク情報を抽出するリンク情報抽出手段　と、
　原稿画像を読み取るためのスキャナ手段と、
　タッチ入力が可能な表示部に、前記受信した文書データに貼り付けられる画像データを得るための前記スキャナ手段による、完成された文書の送信先を登録可能な読み取り開始キーを表示する表示手段と、
　前記読み取り開始キーからの入力により開始された前記スキャナ手段の原稿画像読み取り動作により読み取られた画像データを、前記リンク情報抽出手段により抽出されたリンク情報に従って文書データに貼り付ける画像データ貼り付け手段と、
　を備えていることを特徴とするデータ処理装置。」
（この記載事項によって特定される発明を以下、「本願補正発明」とい　　う。）
　
　本件補正により本願補正発明は、補正前の発明を特定する事項である「タッチ入力が可能な表示部に、前記受信した文書データに貼り付けられる画像データを得るための前記スキャナ手段による読み取り開始キーを表示する表示手段」が、「タッチ入力が可能な表示部に、前記受信した文書データに貼り付けられる画像データを得るための前記スキャナ手段による、完成された文書の送信先を登録可能な読み取り開始キーを表示する表示手段」と限定された。
　そこで、本願補正発明が特許出願の際独立して特許を受けることができるものであるか（平成１８年改正前特許法第１７条の２第５項において準用する同法第１２６条第５項の規定に適合するか）について以下に検討する。
　
　なお、本願補正発明の認定を上記のとおりではなく、誤記を除いた本件補正による特許請求の範囲の請求項１に記載されたとおりとすべきものであれば、特許請求の範囲の記載において、完成された文書の送信先の設定に従って画像データを文書データに貼り付けることがどのようなことか不明であ　り、明細書の記載においても、それがどのような処理であるのか何ら具体的な記載はないから、本願の特許請求の範囲の記載及び明細書の記載は、それぞれ特許法第３６条第６項第２号及び同条第４項に規定する要件を満たしていないことになり、以下に検討するまでもなく、本願は特許出願の際独立して特許を受けることができないといえることになる。
　
２−２．引用例
　原査定の拒絶の理由に引用された特開２００３−２８０８４９号公報（以下、「引用例」という。）には、図面とともに以下の記載がなされている。
　
（１）「【請求項５】　プリント制御装置であって、
画像入力デバイスからの入力画像を貼り付けるべき旨を指定することが可能なテキスト文書をプリント対象として取得する取得手段、および　前記テキスト文書に対応するスタイルシートに基づいて、前記テキスト文書内における前記入力画像のプリント出力位置を含むプリント用書式を決定する書式決定手段、を備えるプリント制御装置。」
　
（２）「【００１６】＜Ａ．システム構成等＞
＜Ａ１．全体構成＞図１は、本発明の実施形態に係る印刷制御装置等を含むプリントシステム１の全体構成を示す概略図である。プリントシステム１　は、マルチ・ファンクション・ペリフェラル（以下、「ＭＦＰ」と略す　　る。）１０とパーソナルコンピュータ４０，５０とを備えている。
【００１７】ＭＦＰ１０、パーソナルコンピュータ４０は、それぞれ、ネットワークＮＷに接続されており、このネットワークＮＷを介して互いにテキスト文書などの各種のデータを送受信することが可能である。なお、「ネットワーク」とは、データ通信を行う通信回線網であり、具体的には、　　　ＬＡＮ、ＷＡＮ、インターネットなどの、電気通信回線（光通信回線を含　む）により構成される各種の通信回線網である。ネットワークに対する接続形態は、専用回線などを利用した常時接続であってもよいし、アナログ回線あるいはデジタル回線（ＩＳＤＮ）などの公衆電話回線を利用したダイアルアップ接続などの一時的な接続のいずれであってもよい。また、その伝送方式は、無線方式および有線方式のいずれであってもよい。
【００１８】ＭＦＰ１０は、スキャナ、複写機、プリンタ、ファックス等の機能を有する複合機であり、ネットワークを介したデータの送受信が可能である。また、後述するように、ＭＦＰ１０は、本発明の実施形態に係るプリント制御装置として機能するとともに、プリント出力装置としても機能す　る。また、ＭＦＰ１０は、画像を含む文書をスタイルシートに基づいて適切な書式に整えた上で印刷（プリント）することが可能である。
【００１９】パーソナルコンピュータ４０は、ネットワークＮＷに接続可能なネットワーク端末であり、ネットワークＮＷを介してＭＦＰ１０と通信することが可能である。また、ＭＦＰ１０は、パーソナルコンピュータ４０以外の外部機器（たとえば、携帯電話、デジタルカメラ、ＭＦＰなどのネットワーク端末として機能する外部機器）とネットワークＮＷを介して通信することができる。」
　
（３）「【００２１】＜Ａ２．ＭＦＰの概要＞つぎに、ＭＦＰ１０について説明する。
【００２２】図２は、ＭＦＰ１０を示す外観図である。ＭＦＰ１０は、図２に示すように、複数のキー１１ａを備え、当該キーに対するユーザの操作による各種の指示や、文字・数字等のデータの入力を受け付ける操作部１１、ユーザに対する指示メニューや取得した画像に関する情報等の表示を行うディスプレイ１２、原稿を光電的に読み取って画像データを得るスキャナ部１３、および画像データに基づいて記録シート上に画像を印刷するプリンタ部１４を備える。
【００２３】また、ＭＦＰ１０は、本体上面に原稿をスキャナ部１３に送るフィーダ部１７、下部にはプリンタ部１４に記録シートを供給する給紙部１８、中央部にはプリンタ部１４によって画像を印刷された記録シートが排出されるトレイ１９、内部にはネットワークＮＷを介して外部機器と画像データ等を含む各種データの送受信を行う通信部１６、および画像データ等を記憶する記憶部２３を備えている。
【００２４】ディスプレイ１２は、データ送信の宛先の一覧表示を含む種々の表示に使用されるものであり、操作部１１は、ユーザによる送信先の選択を含む種々の入力に用いられるものである。また、ディスプレイ１２は、接触式センサ等を内蔵した液晶式パネルとして構成されており、ディスプレイ１２内において操作者の指などが触れた位置を検出することが可能になっている。したがって、操作者は、ディスプレイ１２内に表示された各種の仮想的なボタン等を、指などを用いて押下することによって、各種の指示を入力することができる。ディスプレイ１２は、このような操作入力機能をも有している。これらの操作部１１およびディスプレイ１２は、ユーザインター　フェースの要部として機能する。
【００２５】スキャナ部１３は、写真、文字、絵などの画像情報を原稿から光電的に読み取って画像データを取得する。取得された画像データ（濃度　データ）は、図示しない画像処理部においてデジタルデータに変換され、周知の各種画像処理を施された後、プリンタ部１４や通信部１６に送られ、画像の印刷やデータの送信に供されるか、または、後の利用のために記憶部２３に格納される。
……
【００２７】通信部１６は、公衆電話回線を介してファクシミリデータの送受信を行う他、ＬＡＮ、インターネット等のネットワークを介して、該ネットワークに接続された外部機器との間で電子メール等を用いてデータの送受信を行う。具体的には、通信部１６は、その内部にネットワーク・インターフェイスを有しており、ネットワーク・インターフェイスを介してネット　ワークに接続されている。このような構成によって、通信部１６は、外部機器との間で各種データを送受信することが可能である。これにより、ＭＦＰ１０は、通常のファクシミリ通信を行うファクシミリ装置としての機能のみならず、電子メールの送受信端末としての機能も有する。
【００２８】図３は、ＭＦＰ１０の一部のハードウエア構成を示すブロック図である。ＭＦＰ１０は、各種演算処理を行うとともに、ＭＦＰ１０全体の動作を制御するＣＰＵ２０を備え、各種データを記憶するＲＡＭ２１、および所定のソフトウエアプログラム（以下、単に「プログラム」と称する）２２１を記憶するＲＯＭ２２がＣＰＵ２０に接続される。また、ＣＰＵ２０には、操作部１１、ディスプレイ１２、スキャナ部１３、および記憶部２３も接続される。記憶部２３は、画像データ等を保存するハードディスク２３１とメモリカード９１から情報の読み取りを行うカードスロット２３２とから構成されている。なお、ＲＡＭ２１は、不揮発性メモリ（ｎｏｎｖｏｌａｔｉｌｅ　ＲＡＭ）である。
……
【００３０】さらに、ＣＰＵ２０には、ネットワークを介して接続される外部機器との間でデータの送受信を行うための送信部１６１と受信部１６２とを備えた通信部１６も接続される。」
　
（４）「【００３３】＜Ａ３．ＭＦＰの機能等＞図４は、ＭＦＰ１０における各種の機能を表す機能ブロック図である。図４に示すように、ＭＦＰ１０は、上述のプリンタ部１４および通信部１６に加えて、電子メール（Ｅメール）受信部３１、ウェブサーバ部３２、スキャンニング部（画像読取部）３３，ファクシミリ（ＦＡＸ）送受信部３４、ＸＭＬパーサ部３５、スタイルシート格納部３６、リップ部３７、画像データベース３８、レンダリング部３９をさらに備えている。
【００３４】Ｅメール受信部３１は、ＸＭＬ（eXtensible Markup Language）で記述された文書（以下、ＸＭＬ文書と称する）ＤＣのデータを、ＳＭＴＰ（Simple Mail Transfer Protocol）等のＥメール送受信用プロトコルにしたがってＥメールとして受信し、受信したＸＭＬ文書ＤＣのデータをＸＭＬパーサ部３５へ転送する。このように、ＭＦＰ１０は、パーソナルコンピュータ４０等からの電子メール（以下、単にメールとも称する）を受信することができる。電子メールは、たとえば、ＸＭＬ形式のテキスト文書（すなわちＸＭＬ文書）として受信される。
【００３５】ウェブサーバ部３２は、ＨＴＴＰ(HyperText Transfer Protocol)等のウェブページ配信用プロトコルにしたがってＸＭＬ文書ＤＣのデータを受信し、受信したＸＭＬ文書ＤＣのデータをＸＭＬパーサ部３５へ転送する。ウェブサーバ部３２は、ネットワークに接続されたＷＷＷ（World Wide Web）サーバとして機能し、ＭＦＰ１０との間でＨＴＴＰ、ＦＴＰ（File Transfer Protocol）等のプロトコルを用いた通信が可能である。これにより、ＭＦＰ１０は、クライアントとして機能するパーソナルコンピュータ４０からアップロードされてきたＸＭＬ文書などのテキスト文書を受信することができる。
【００３６】ＸＭＬパーサ部３５は、Ｅメール受信部３１またはウェブサーバ部３２から転送されてきたＸＭＬ文書ＤＣのデータを取得する。後述するように、このＸＭＬ文書ＤＣにおいては、画像入力デバイスからの入力画像を貼り付けるべき旨を指定することが可能である。」
　
（５）「【００４３】＜Ｂ．動作＞つぎに、図５および図６のフローチャートを参照しながら、ＭＦＰ１０における動作について説明する。ここでは、ＸＭＬ文書ＤＣ（より具体的には図７のＸＭＬ文書ＤＣ１）の記述に従っ　て、スキャナ部１３の画像読取部３３を用いて入力した画像を、そのＸＭＬ文書内のテキスト文書と合成して印刷出力する場合を例示する。
【００４４】まず、ステップＳＰ１１（図５）において、プリント対象のＸＭＬ文書ＤＣ１が取得される。上述したように、このＸＭＬ文書ＤＣ１は、ウェブサーバ部３２あるいはＥメール受信部３１で受信されることにより取得される他、ＭＦＰ１０の記憶部２３に格納された文書を操作者が操作部を用いて指定することによって取得されるようにしても良い。ここでは、記憶部２３に格納されていたＸＭＬ文書ＤＣ１を操作者が操作部１１等を用いて指定するものとする。
【００４５】図７は、このＸＭＬ文書ＤＣ１の一部を示す図である。このＸＭＬ文書ＤＣ１には、タグ＜page＞とタグ＜／page＞とに挟まれた部分において、用紙上において相対的に上側のエリア（以下、「上エリア」と称す　る）に文字「ＴＥＳＴ上」を含み、用紙上において相対的に下側のエリア　（以下、「下エリア」と称する）にスキャン画像（スキャナで読み取られた画像）を含む旨の情報が含まれている。
【００４６】より詳細には、タグ＜upperarea＞においては、このタグの属性名「type」の属性値として「text（テキスト）」が指定されており、タグ　　＜upperarea＞とタグ＜／upperarea＞とに挟まれた部分において「ＴＥＳＴ上」が記述されている。これは、上エリア（upperarea）には「ＴＥＳＴ上」の文字が表示されることを意味している。
【００４７】また、タグ＜lowerarea＞においては、このタグの属性名「type」の属性値として「device（デバイス）」が指定されている。これは、下エリア（lowerarea）には、或るデバイス（画像入力デバイス）からの入力画像が表示されることを意味している。さらに、タグ＜lowerarea＞とタグ＜／lowerarea＞とに挟まれた部分においては、デバイス指定に関する情報（言い換えれば画像ソースに関する情報）「スキャナ」が記述されている。これは、デバイスの詳細内容としてスキャナを指定することを意味してい　る。したがって、スキャナで読み取られた画像が下エリアに表示されることが規定されていることになる。このように、所定のタグ（たとえば、タグ＜lowerarea＞）において、そのタグの属性名「type」の属性値として「device（デバイス）」が指定されている場合には、そのタグの要素（ここでは「スキャナ」）は、画像入力デバイスを指定する文字列である。
【００４８】以上のように、ＸＭＬ文書ＤＣ１においては、画像入力デバイスからの入力画像を貼り付けるべき旨を指定することが可能である。なお、所定の画像入力デバイスからの画像を貼り付ける旨の指定は、タグ＜lowerarea＞だけでなく、その他のタグ（たとえば、タグ＜upperarea＞）においても同様に行うことが可能である。」
　
（６）「【００６６】ステップＳＰ２３において、リップ部３７は、タグ　＜block＞の内容に基づいて、指定されたデバイス（画像入力デバイス）の種類を認識する。具体的には、リップ部３７は、タグ＜block＞とタグ＜/block＞とに挟まれた部分において「スキャナ」が記載されていることを認識し、スキャナからの画像データＤ１を貼り付けるべき旨を認識する。
【００６７】ステップＳＰ２４において、スキャナ部１３の画像読取部３３は、リップ部３７からの指示に基づいて、原稿台に載置された原稿を読み　取って画像データＤ１を生成して取得する。生成された画像データＤ１は、画像データベース３８に格納される。
【００６８】なお、この原稿の読み取り動作は、リップ部３７からの指示に応答して（自動的に）開始されるようにしてもよく、操作者の手動操作に　よって原稿の読み取りを開始するようにしてもよい。
【００６９】ステップＳＰ２５において、リップ部３７は、ＸＭＬ文書ＤＣのテキスト部分（ここでは「ＴＥＳＴ上」）をビットマップ画像Ｄ２に変換し、画像データベース３８に格納する。
【００７０】ステップＳＰ２６において、リップ部３７は、レンダリング部３９に画像合成用のパラメータを設定する。具体的には、テキスト文書変換後のビットマップ画像Ｄ２のプリント出力位置、およびスキャナからの入力画像Ｄ１のプリント出力位置等についてのパラメータを設定する。
【００７１】ステップＳＰ２７において、レンダリング部３９は、設定されたパラメータに基づいて、入力画像Ｄ１とビットマップ画像Ｄ２とを合成して印刷出力用データを生成し、プリンタ部１４に出力する。この後、プリンタ部１４は、この印刷出力用データに基づいて、用紙上に合成画像を出力する。なお、図１１は、ＸＭＬ文書ＤＣ１についての印刷出力結果を示す図である。上側に文字「ＴＥＳＴ上」が印刷されるとともに、下側にスキャン画像が印刷されている。
【００７２】以上のように、画像入力デバイスからの入力画像を貼り付ける旨がＸＭＬ文書ＤＣ１において指定されている場合には、ＭＦＰ１０は、その指定を反映させた書式付ＸＭＬ文書ＤＳ１をスタイルシートＳＴを用いて生成し、その書式付ＸＭＬ文書ＤＳ１に応じて、画像入力デバイスからの入力画像を印刷用紙上に印刷出力するための制御を行うことができる。」
　
　したがって、引用例には次の発明（以下、「引用発明」という。）が記載されているといえる。
　
「ネットワーク端末であるパーソナルコンピュータ４０から、ネットワークＮＷを介して、スキャナ部１３からの画像データを貼り付けるべき旨を指定することが可能なテキスト文書を取得する取得手段と、
　前記テキスト文書に「スキャナ」が記載されていることを認識し、スキャナ部１３からの画像データを貼り付けるべき旨を認識するリップ部３７と、
　写真、文字、絵などの画像情報を原稿から光電的に読み取って画像データを取得するスキャナ部１３と、
　複数のキー１１ａを備え、当該キーに対するユーザの操作による各種の指示や、文字・数字等のデータの入力を受け付ける操作部１１と、接触式センサ等を内蔵した液晶式パネルとして構成されており、ディスプレイ１２内において操作者の指などが触れた位置を検出することが可能で、操作者は、ディスプレイ１２内に表示された各種の仮想的なボタン等を、指などを用いて押下することによって、各種の指示を入力することができるディスプレイ１２と、からなるユーザインターフェースと、
　操作者の手動操作によって原稿の読み取りが開始され、スキャナ部１３の原稿を読み取って生成された画像データＤ１と、前記テキスト文書を変換したビットマップ画像Ｄ２とを、合成するレンダリング部３９と、
　を備えていることを特徴とする、スキャナ、複写機、プリンタ、ファックス等の機能を有する複合機。」
　
２−３．対比
　引用発明の「ネットワーク端末であるパーソナルコンピュータ４０」は本願補正発明の「ユーザ端末」に対応し、
本願補正発明の「リンク情報付き文書データ」は、その「リンク情報」に　従って、スキャナ手段の原稿画像読み取り動作により読み取られた画像データを文書データに貼り付けることから、引用発明の「スキャナ部１３からの画像データを貼り付けるべき旨を指定することが可能なテキスト文書」に対応するので、
引用発明の「ネットワーク端末であるパーソナルコンピュータ４０から、　ネットワークＮＷを介して、スキャナ部１３からの画像データを貼り付けるべき旨を指定することが可能なテキスト文書を取得する取得手段」は本願補正発明の「受信手段」と、その機能が共通するものといえる。
　引用発明の「リップ部３７」は、前記テキスト文書に「スキャナ」が記載されていることを認識し、スキャナ部１３からの画像データを貼り付けるべき旨を認識するのであるから、前記テキスト文書に対応する「リンク情報付き文書データ」から前記リンク情報を抽出する本願補正発明の「リンク情報抽出手段」と、その機能が共通するものといえる。
　引用発明において「操作者の手動操作によって原稿の読み取りが開始さ　れ」とする点は、「操作部１１」又は「各種の指示を入力することができるディスプレイ１２」のいずれかにその指示が入力されるのか、他の手段によるのか明示的な記載はないが、受信した文書データに貼り付けられる画像　データを得るためのスキャナ手段による読み取り開始の指示が入力される機能を有する点では、本願補正発明と共通する。
　引用発明の「レンダリング部３９」は、操作者の手動操作によって原稿の読み取りが開始され、スキャナ部１３の原稿を読み取って生成された画像データＤ１と、前記テキスト文書を変換したビットマップ画像Ｄ２とを、合成するものであるから、前記読み取り開始の指示の入力により開始された前記スキャナ手段の原稿画像読み取り動作により読み取られた画像データを、前記リンク情報抽出手段により抽出されたリンク情報に従って文書データに貼り付ける点で、本願補正発明の「画像データ貼り付け手段」と、その機能が共通するものといえる。
　引用発明の「スキャナ、複写機、プリンタ、ファックス等の機能を有する複合機」は、データ処理装置といえるものである。
　したがって、本願補正発明と引用発明とを対比すると、次の点で一致するといえる。
　
「ユーザ端末からネットワークを通じてリンク情報付き文書データを受信可能な文書データ受信手段と、
　受信した文書データから前記リンク情報を抽出するリンク情報抽出手段　と、
　原稿画像を読み取るためのスキャナ手段と、
　受信した文書データに貼り付けられる画像データを得るためのスキャナ手段による読み取り開始の指示が入力される手段と、
　前記読み取り開始の指示が入力される手段の入力により開始された前記スキャナ手段の原稿画像読み取り動作により読み取られた画像データを、前記リンク情報抽出手段により抽出されたリンク情報に従って文書データに貼り付ける画像データ貼り付け手段と、
　を備えていることを特徴とするデータ処理装置。」
　
　また次の点で相違する。
　
　相違点
　本願補正発明は、読み取り開始の指示が入力される手段が「タッチ入力が可能な表示部に、前記受信した文書データに貼り付けられる画像データを得るための前記スキャナ手段による、完成された文書の送信先を登録可能な読み取り開始キーを表示する表示手段」であるのに対して、引用発明は「各種の指示を入力することができるディスプレイ１２」を有するものの、それに該指示が入力されるものかどうか、また「完成された文書の送信先を登録可能」かどうか明らかでない点。
　
２−４．相違点に対する判断
　タッチ入力が可能な表示部に各種の指示を入力するキーを表示することは周知のことであり、引用発明において読み取り開始キーを、「操作部１１」に設けるか、「各種の指示を入力することができるディスプレイ１２」に表示するかは、設計事項といえる程度のことである。
　また、指示を入力するキーに送信先を登録することも周知のことであり　（例えば、特開２００３−１１０８２６号公報、特開２００２−１１８７１１号公報）、引用発明は「スキャナ、複写機、プリンタ、ファックス等の機能を有する複合機」に関するものであるから、画像データを貼り付けられた文書データをプリントするだけでなく、ファックス送信することにも格別の点はないから、読み取り開始キーに完成された文書の送信先を登録可能とすることに困難な点はない。
　上記のとおり、引用発明において相違点を本願補正発明のようにすることに困難な点はないから、本願補正発明は引用発明に基づいて、当業者が容易に発明をすることができたものであるから、特許法第２９条第２項の規定により特許出願の際独立して特許を受けることができない。
　
２−５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成１９年４月６日付けの手続補正は上記のとおり却下されたので、本願の請求項１に係る発明（以下、「本願発明」という。）は、平成１８年６月１日付けの手続補正書の特許請求の範囲の請求項１に記載された事項により特定される、以下のとおりのものである。
　
「ユーザ端末からネットワークを通じてリンク情報付き文書データを受信可能な文書データ受信手段と、
　受信した文書データから前記リンク情報を抽出するリンク情報抽出手段　と、
　原稿画像を読み取るためのスキャナ手段と、
　タッチ入力が可能な表示部に、前記受信した文書データに貼り付けられる画像データを得るための前記スキャナ手段による読み取り開始キーを表示する表示手段と、
　前記読み取り開始キーからの入力により開始された前記スキャナ手段の原稿画像読み取り動作により読み取られた画像データを、前記リンク情報抽出手段により抽出されたリンク情報に従って文書データに貼り付ける画像データ貼り付け手段と、
　を備えていることを特徴とするデータ処理装置。」
　
　原査定の拒絶の理由に引用された特開２００３−２８０８４９号公報の記載事項は、前記２−２．のとおりである。
　そして、本願発明は、「表示手段」において本願補正発明のような限定がないものであるから、本願補正発明と同様、引用発明に基づき当業者が容易に発明をすることができたものである。
　
　以上のとおり、本願発明は、引用発明に基づいて、当業者が容易に発明をすることができたものであるから、特許法第２９条第２項の規定により特許を受けることができない。
　よって、結論のとおり審決する。